【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
デジタル放送を受信するデジタル放送受信装置において、
周波数をチューニングすることによってデジタル放送の所定チャンネルを選択して受信する第１および第２のチューナ部と、
前記第１のチューナ部で選択されたデジタル放送の所定チャンネルから番組を含む第１のストリーム信号を抽出して出力する第１のストリーム信号抽出部と、
前記第２のチューナ部で選択されたデジタル放送の所定チャンネルから番組を含む第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる番組の１つをデコードして映像信号を出力する第１のデコード手段と、
前記第２のストリーム分配信号に含まれる番組の１つをデコードして映像信号を出力する第２のデコード手段を備えることを特徴とするデジタル放送受信装置。
【請求項２】
デジタル放送を受信するデジタル放送受信装置において、
アナログ信号の性質を利用して周波数をチューニングすることによってデジタル放送の所定チャンネルを選択して受信する第１および第２のチューナ部と、
前記第１のチューナ部で選択されたデジタル放送の所定チャンネルから番組を含むデジタル化された第１のストリーム信号を抽出して出力する第１のストリーム信号抽出部と、
前記第２のチューナ部で選択されたデジタル放送の所定チャンネルから番組を含むデジタル化された第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる番組の１つをデコードして映像信号を出力する第１のデコード手段と、
前記第２のストリーム分配信号に含まれる番組の１つをデコードして映像信号を出力する第２のデコード手段を備えることを特徴とするデジタル放送受信装置。
【請求項３】
デジタル放送を受信するデジタル放送受信装置において、
周波数をチューニングすることによってデジタル放送の所定チャンネルを選択して受信する第１および第２のチューナ部と、
前記第１のチューナ部で選択されたデジタル放送の所定チャンネルから複数の番組を含む第１のストリーム信号を抽出して出力する第１のストリーム信号抽出部と、
前記第２のチューナ部で選択されたデジタル放送の所定チャンネルから複数の番組を含む第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる複数の番組の１つをデコードして映像信号を出力する第１のデコード手段と、
前記第２のストリーム分配信号に含まれる複数の番組の１つをデコードして映像信号を出力する第２のデコード手段を備えることを特徴とするデジタル放送受信装置。
【請求項４】
デジタル放送を受信するデジタル放送受信装置において、
周波数をチューニングすることによってデジタル放送の所定チャンネルを選択して受信する第１および第２のチューナ部と、
前記第１のチューナ部で選択されたデジタル放送の所定チャンネルから番組を含む第１のストリーム信号を抽出して出力する第１のストリーム信号抽出部と、
前記第２のチューナ部で選択されたデジタル放送の所定チャンネルから番組を含む第２のストリーム信号を抽出して出力する第２のストリーム信号抽出部と、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するストリーム信号分配制御部と、
前記第１のストリーム分配信号に含まれる番組の１つおよび前記第２のストリーム分配信号に含まれる番組の１つをデコードして映像信号を出力するデコード手段を備えることを特徴とするデジタル放送受信装置。
【請求項５】
前記ストリーム信号分配制御部は前記第１のチューナ部でチューニングされる周波数チャンネルと前記第２のチューナ部でチューニングされる周波数チャンネルの周波数が同一または近い場合に、さらに第２のチューナ部と第２のストリーム信号抽出部の動作をOFFさせることを特徴とする請求項１乃至４に記載のデジタル放送受信装置。
【請求項６】
前記出力された映像信号を受信し表示する表示装置を備えることを特徴とする請求項１乃至５に記載のデジタル放送受信装置。
【請求項７】
第１および第２のチューナ部を用いて周波数をチューニングすることによってデジタル放送の所定チャンネルを選択して受信するステップと、
前記第１のチューナ部で選択されたデジタル放送の所定チャンネルから番組を含む第１のストリーム信号を抽出して出力するステップと、
前記第２のチューナ部で選択されたデジタル放送の所定チャンネルから番組を含む第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる番組の１つをデコードして映像信号を出力するステップと、
前記第２のストリーム分配信号に含まれる番組の１つをデコードして映像信号を出力するステップを備えることを特徴とするデジタル放送受信方法。
【請求項８】
第１および第２のチューナ部を用いてアナログ信号の性質を利用して周波数をチューニングすることによってデジタル放送の所定チャンネルを選択して受信するステップと、
前記第１のチューナ部で選択されたデジタル放送の所定チャンネルから番組を含むデジタル化された第１のストリーム信号を抽出して出力するステップと、
前記第２のチューナ部で選択されたデジタル放送の所定チャンネルから番組を含むデジタル化された第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる番組の１つをデコードして映像信号を出力するステップと、
前記第２のストリーム分配信号に含まれる番組の１つをデコードして映像信号を出力するステップを備えることを特徴とするデジタル放送受信方法。
【請求項９】
第１および第２のチューナ部を用いて周波数をチューニングすることによってデジタル放送の所定チャンネルを選択して受信するステップと、
前記第１のチューナ部で選択されたデジタル放送の所定チャンネルから複数の番組を含む第１のストリーム信号を抽出して出力するステップと、
前記第２のチューナ部で選択されたデジタル放送の所定チャンネルから複数の番組を含む第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる複数の番組の１つをデコードして映像信号を出力するステップと、
前記第２のストリーム分配信号に含まれる複数の番組の１つをデコードして映像信号を出力するステップを備えることを特徴とするデジタル放送受信方法。
【請求項１０】
第１および第２のチューナ部を用いて周波数をチューニングすることによってデジタル放送の所定チャンネルを選択して受信するステップと、
前記第１のチューナ部で選択されたデジタル放送の所定チャンネルから番組を含む第１のストリーム信号を抽出して出力するステップと、
前記第２のチューナ部で選択されたデジタル放送の所定チャンネルから番組を含む第２のストリーム信号を抽出して出力するステップと、
前記第１のチューナ部でチューニングされるデジタル放送の所定チャンネルの周波数と前記第２のチューナ部でチューニングされるデジタル放送の所定チャンネルの周波数が同一または近い場合に、前記抽出された第１のストリーム信号を分配して第１のストリーム分配信号および第２のストリーム分配信号を出力するよう制御するステップと、
前記第１のストリーム分配信号に含まれる番組の１つおよび前記第２のストリーム分配信号に含まれる番組の１つをデコードして映像信号を出力するステップを備えることを特徴とするデジタル放送受信方法。
【手続補正２】
【補正対象書類名】図面
【補正対象項目名】図２
【補正方法】変更
【補正の内容】
【図２】
2007088976.tif 000001
【手続補正３】
【補正対象書類名】図面
【補正対象項目名】図３
【補正方法】変更
【補正の内容】
【図３】
2007088976.tif 000002
【手続補正４】
【補正対象書類名】図面
【補正対象項目名】図４
【補正方法】変更
【補正の内容】
【図４】
2007088976.tif 000003
【手続補正５】
【補正対象書類名】図面
【補正対象項目名】図５
【補正方法】変更
【補正の内容】
【図５】
2007088976.tif 000004
【手続補正６】
【補正対象書類名】図面
【補正対象項目名】図６
【補正方法】変更
【補正の内容】
【図６】
2007088976.tif 000005
【手続補正７】
【補正対象書類名】図面
【補正対象項目名】図７
【補正方法】変更
【補正の内容】
【図７】
2007088976.tif 000006
【手続補正８】
【補正対象書類名】図面
【補正対象項目名】図８
【補正方法】変更
【補正の内容】
【図８】
2007088976.tif 000007